(57)【要約】  【課題】  腐食性ガスおよび高湿度などの悪質な周囲環境から圧力応答方式タッチパネルを隔離し前記圧力応答方式タッチパネルを保護するための保護ボックスにおいて、従来タッチパネルの視認およびタッチボタンの押圧の都度必要であった保護ボックスの開閉操作を不必要とし、操作性および周囲環境からの保護の信頼性を改善する。【解決手段】  保護ボックス蓋１１Ｃに可撓性の透明材料を使用し、保護ボックス蓋１１Ｃのタッチパネル２側に各タッチボタン３に対応した位置および数の透明な媒体スペーサ１２を間隙Ｄ（Ｄ≧０）を介して配設することにより、機器操作者は保護ボックス蓋１１Ｃを開くことなく、常時タッチパネル２を視認しながら保護ボックス蓋１１Ｃの表面の押圧により媒体スペーサ１２を介して対応するタッチボタン３を押圧することが可能になる。【選択図】          図１
2011228015.tif 000002
【特許請求の範囲】
【請求項１】
圧力応答方式タッチパネルを周囲環境から保護するため前記タッチパネルの周囲を外覆する保護ボックスにおいて、前記タッチパネル前面と空間を介して配設され可撓性材料からなる保護ボックス蓋で構成した保護ボックス前面部と、前記保護ボックス蓋の特定の位置の押圧にて、タッチパネル上の特定のタッチボタンに対応した特定の押圧位置を備えたことを特徴とする圧力応答方式タッチパネル用保護ボックス。
【請求項２】
前記保護ボックス蓋と前記タッチパネルの中間に媒体を配設したことを特徴とする請求項１記載の圧力応答方式タッチパネル用保護ボックス。
【請求項３】
前記媒体の断面輪郭を、タッチボタンの輪郭境界線の内方に設けたことを特徴とする請求項２記載の圧力応答方式タッチパネル用保護ボックス。
【請求項４】
前記媒体は、シート形状に作製され当該シートはタッチボタンの輪郭境界線の外方に境界を有する切り抜き部を備えたことを特徴とする請求項２記載の圧力応答方式タッチパネル用保護ボックス。
【請求項５】
前記媒体は、タッチボタンの輪郭境界線の外方に配設された短冊形状の媒体であることを特徴とする請求項２記載の圧力応答方式タッチパネル用保護ボックス。
【請求項６】
前記保護ボックスおよび媒体は、保護ボックス蓋外方からタッチパネルを視認できる透明材料を使用していることを特徴とする請求項１から５のいずれかに記載の圧力応答方式タッチパネル用保護ボックス。
【発明の詳細な説明】
【技術分野】
【０００１】
本発明は、種々の電子機器や電子装置に使用される、抵抗膜方式などの圧力応答方式タッチパネルを用いたディスプレイ装置に関する。
【背景技術】
【０００２】
タッチパネル式のディスプレイをＵＩＦ（Ｕｓｅｒ  Ｉｎｔｅｒｆａｃｅ）とする装置は通常タッチパネルが露出している（たとえば非特許文献１参照）が、装置が腐食性ガスや高湿度などの雰囲気下で使用される場合は、タッチパネルの保護のためディスプレイを保護ボックスで覆って密閉し、雰囲気から隔離する。
【０００３】
常時視認性を考慮する必要がない場合には板金筐体など不透明材料の保護ボックスを使用すれば良いが、視認性が必要な場合は保護ボックスのタッチパネル前面部分には透明材料を使用する。なお別法としてタッチパネル表面に保護フィルムを貼ってパネルを保護する方法もあるが、この方法はディスプレイ全体を周囲の腐食性ガスや高湿度雰囲気から保護する効果はない。
【０００４】
図４は従来の扉付きの保護ボックスの一例である。ディスプレイ筐体１の前面は圧力応答方式のタッチパネル２となっている。タッチパネル２の表面には複数のタッチボタン３があり、機器の作動に必要な操作は手指等による押圧で行われる。前記のように悪環境からの保護のため、ディスプレイ筐体１は密閉構造の保護ボックス４内に適切な支持材（図示せず）を介して配設される。
【０００５】
保護ボックス４はたとえば板金筐体の保護ボックス本体４Ｂと透明材料の開閉式の保護ボックス蓋４Ｃで構成される。通常は保護ボックス蓋４Ｃと保護ボックス本体４Ｂは密接され、ディスプレイ筐体１は外部環境から隔離されているので、機器操作時はタッチボタン３の押圧のため開閉式の保護ボックス蓋４Ｃを開く。
【先行技術文献】
【非特許文献】
【０００６】
【非特許文献１】島津製作所カタログＣＯ７６−００７０Ａ、島津質量分析計型全自動可搬ドライ形ヘリウムリークディテクタ  Ｍｏｄｅｌ：ＭＳＥ−２０００Ｒ  ＤＲＹ
【発明の概要】
【発明が解決しようとする課題】
【０００７】
従来技術では前記のとおり、透明な保護ボックス蓋４Ｃによってタッチパネル２の視認はできるが、タッチボタン３の押圧はできないので、たとえば液晶のタッチパネル２を備えたディスプレイ筐体１においてバックライト消灯時からの復帰操作を行いたい場合は、前記のようにその都度保護ボックス蓋４Ｃを開ける必要がある。また保護ボックス蓋４Ｃに不透明材料、たとえば金属材料を使用した場合には、タッチボタン３の操作が不必要な場合でもタッチパネル２の視認が必要の都度、保護ボックス蓋４Ｃの開閉作業が必要である。
【課題を解決するための手段】
【０００８】
本発明が提供する圧力応答方式タッチパネル用保護ボックスでは、保護ボックス前面部を前記タッチパネル前面と空間を介して配設され可撓性材料からなる保護ボックス蓋で構成し、前記保護ボックス蓋の特定の位置の押圧により、タッチパネル上の特定のタッチボタンに対応した特定の位置を押圧する構造を備える。また前記保護ボックス蓋と前記タッチパネルの中間に媒体を配設する。
【０００９】
また前記媒体の断面輪郭はタッチボタンの輪郭境界線の内方に設ける。あるいは媒体をシート形状に作製し当該シートはタッチボタンの輪郭境界線の外方に境界を有する切り抜き部を備える。またあるいはタッチボタンの輪郭境界線の周囲外方に配設された短冊形状の媒体を備える。また保護ボックスおよび媒体に、保護ボックス蓋外方からタッチパネルを視認できる透明材料を使用する。これらの手段によって、ディスプレイ筐体を密閉したままでディスプレイ筐体前面のタッチパネルの押圧が可能になる。
【発明の効果】
【００１０】
本発明により、前記のように保護ボックス蓋を開けることなく、ディスプレイ筐体を密閉したままでディスプレイ筐体前面のタッチパネルの押圧が可能になるため、腐食性ガスおよび高湿度などの悪質な周囲環境から隔離した状態で機器の操作が可能になり、操作性が向上しまた悪質な雰囲気からの保護の信頼性も改善される。
【図面の簡単な説明】
【００１１】
【図１】本発明の第１の実施例の構造を示す正面図（１）および側面図（２）である。
【図２】本発明の第２の実施例の媒体シートを示す斜視図である。
【図３】本発明の第３の実施例の媒体シートとタッチボタンの相互位置関係を示す斜視図である。
【図４】従来の圧力応答方式タッチパネル型保護ボックスの構造を示す斜視図である。
【発明を実施するための形態】
【実施例１】
【００１２】
図１は本発明の第１の実施例である。ディスプレイ筐体１およびその前面のタッチパネル２はパネル支持材１３で位置決めされ保護ボックス１１内に配設される。保護ボックス１１は保護ボックス蓋１１Ｃおよび保護ボックス本体１１Ｂから構成され、保護ボックス蓋１１Ｃには可撓性の透明材料が使用される。
【００１３】
タッチパネル２と空間を介して配設された保護ボックス蓋１１Ｃのタッチパネル２側には、タッチボタン３に対応した同数の透明材料の媒体スペーサ１２が、間隙Ｄを介してタッチバネル２の対応するタッチボタン３の前面に配設される。したがって機器操作者は保護ボックス蓋１１Ｃを開くことなく、常時タッチパネル２を視認し、必要な場合は保護ボックス蓋１１Ｃを閉止した状態で直ちに保護ボックス蓋１１Ｃおよび媒体スペーサ１２を介して対応するタッチボタン３を押圧できる。
【実施例２】
【００１４】
図２は本発明の第２の実施例である。本例では図１の媒体スペーサ１２に替えて、各タッチボタン３の位置および形状に対応した角形の切り抜き部１５をもつ、透明且つ薄肉の媒体シート１４を媒体として配設し、保護ボックス蓋１１Ｃの押圧により切り抜き部１５内の空隙部を介して目的のタッチボタン３を押圧するとともに、特定のタッチボタン３以外には押圧の影響が及ばない構造を提供する。
【実施例３】
【００１５】
図３は本発明の第３の実施例である。本例ではタッチボタン３の周囲に薄肉の媒体板１６を２個、媒体板１７を３個配設している。本図はタッチボタン３との位置関係を示すためにタッチパネル２を斜視する角度から示しているが、媒体板１６および媒体板１７は図１、図２に示す媒体スペーサ１２、媒体シート１４と同様、保護ボックス蓋１１Ｃ（図３には図示せず）に固着されており、保護ボックス蓋１１Ｃの押圧により特定のタッチボタン３の押圧が行われる。なお以下、図１〜図３の媒体スペーサ１２、媒体シート１４、媒体板１６、媒体板１７を総称して単に各媒体と呼ぶ。
【００１６】
本発明は上記の実施例に限定されるものではない。たとえば保護ボックス１１とタッチボタン３の相互寸法を適切に選定可能な場合は、特に各媒体を設けずに保護ボックス蓋１１Ｃの押圧により直接的に特定のタッチボタン３を押圧する構造も可能である。また各実施例において、保護ボックス蓋１１Ｃおよび各媒体に不透明材料を使用した場合でも、保護ボックス蓋１１Ｃの各タッチボタン３に対応する位置に印刷等の方法で対応するマークを貼付し、マークを押圧すれば操作の目的を達する。
【００１７】
また図１では媒体スペーサ１２とタッチパネル２の間に間隙Ｄを設けているが、各媒体とタッチパネル２相互が零に近い押圧で接触していても誤作動が生じない場合は間隙Ｄを設けなくても良い。また本発明では前記のように操作の都度保護ボックス蓋１１Ｃを開閉する必要はないが、他の目的、たとえば保守点検などのために保護ボックス蓋１１Ｃを開閉式に設けても良い。また保護ボックス蓋１１Ｃの周辺部を可撓性のない材料の枠で補強し、この枠を保護ボックス本体１１Ｂと密接または開閉可能な取り付けも可能である。
【００１８】
また媒体スペーサ１２の形状は多角形であってもよく、大きさもたとえばタッチボタン３より小さくして押圧効果を高めてもよい。図１〜図４には各２個のタッチボタン３が示されているが、本発明はタッチボタン３の数には限定されない。また図２の媒体シート１４は必ずしも１枚である必要はなく、タッチパネル２の領域内で幾つかに分割されても良い。
【００１９】
また切り抜き部１５の形状も角形に限定されるものではなく、タッチボタン３の形状に応じて適切な形状に選択できる。また図３には２種類の媒体板が示されているが、媒体板の寸法、数は必要に応じて変更できる。また図３のように複数種類の媒体板をタッチボタン３の周囲に複数配設する代わりに、額縁形状の媒体板をタッチボタン３の周囲の適切な位置に必要個数使用しても良い。また製作上の理由で保護ボックス蓋１１Ｃと各媒体が同一材料により一体化されていても良い。本発明はこれらをすべて包含する。
【産業上の利用可能性】
【００２０】
本発明は、種々の電子機器や電子装置に使用される、圧力応答方式タッチパネルを用いたディスプレイ装置に適用することができる。
【符号の説明】
【００２１】
１  ディスプレイ筐体
２  タッチパネル
３  タッチボタン
４  保護ボックス
４Ｂ  保護ボックス本体
４Ｃ  保護ボックス蓋
１１  保護ボックス
１１Ｂ  保護ボックス本体
１１Ｃ  保護ボックス蓋
１２  媒体スペーサ
１３  パネル支持材
１４  媒体シート
１５  切り抜き部
１６  媒体板
１７  媒体板
Ｄ  間隙
【図１】
2011228015.tif 000003
【図２】
2011228015.tif 000004
【図３】
2011228015.tif 000005
【図４】
2011228015.tif 000006